(57)【要約】      （修正有）【課題】ビン容器あるいはプラスチック容器の蓋の大きさが違っても蓋を開閉する握り部のレバーを回動することにより、スムースかつ簡単に容器の蓋を開閉することができる簡単な歯車機構による容器の蓋開閉器を提供する。【解決手段】ビン容器あるいはプラスチック容器８の蓋９を開閉するため、レバー１を矢印の開ける方向に回動することにより、部分内歯車２と部分歯車５の噛み合せで、爪３を持つ３つの挟持部１１−ａ，１１−ｂ、１１−ｃを容器８の蓋９に固着させることができる。更に握り部１０のレバー１を開ける方向に回動することにより、小さな力で容器８の蓋９をスムースかつ簡単に開けることができる。【選択図】図３
0003142714.tif 000002
【実用新案登録請求の範囲】
【請求項１】
ビン容器あるいはプラスチック容器の蓋を開閉する蓋開閉器において、部分歯車と爪部が一体構造の複数個の挟持部と、その歯車を回転させる内歯車とレバーが一体構造の握り部で構成し、レバーを回動することで容器の蓋に挟持部の爪部を固着させ、開閉できる機構を備えた容器の蓋開閉器。
【請求項２】
握り部の内歯車において、中央部に容器の蓋が入る空間を設け、蓋開閉器を表側にしてレバーを開ける方向に回動させ、容器の蓋を開ける場合と、逆に蓋開閉器を裏側にしてレバーを閉める方向に回動させ、容器の蓋を閉める場合の開閉両方向ができる機構を備えた請求項１記載の容器の蓋開閉器。
【考案の詳細な説明】
【技術分野】
【０００１】  本考案は、ジャム、蜂蜜などの食品を封入するビンあるいはプラスチック容器の蓋開閉器において、特にきつく閉まった蓋を容易に開ける容器の蓋開閉器に関するものである。
【背景技術】
【０００２】  ジャム、蜂蜜などが封入されているビン容器あるいはプラスチック容器は、高温殺菌され、その後、常温に冷却されて、容器内部は負圧になり、蓋が強固に閉められた状態になる。そのため、この蓋を開けるには強力な力が必要である。ジャム、蜂蜜などのような糖分を多く含むものは、容器の口が大きく形成されている。また、家庭で手作りジャムを作る時、中身がこぼれ出ないように容器の蓋をきつく閉めるのに苦労している。いずれの場合も容器は蓋の大きさが様々である。【０００３】  そのほか、パッキンにより密閉状態になっている蓋も開けることが更に困難になる。特に力の弱い女性、老人、子供達が蓋を開けるとき苦労しているのが現状である。
そこで、この課題を解決するために、［特許文献１］では、容器の蓋を開閉するための握り部と蓋把持部からなり、握り部を回動することで、蓋把持部で固着し、容易に蓋を開ける蓋開閉補助具を４タイプ考案の中に遊星歯車機構が示されている。
【考案の開示】
【考案が解決しようとする課題】
【０００４】  ［特許文献１］において、遊星歯車機構を介在した蓋開閉補助具では、太陽ギヤ、遊星ギヤ、内接ギヤの組み合わせで握り部と蓋把持部からなり、複雑な構造である。また、蓋を開ける方向しか利用できない。このような問題点を解決しようとするものである。
【特許文献１】特開２００３−１３７３９３
【課題を解決するための手段】
【０００５】  本考案は、蓋を固着させる挟持部に歯車の一部分と爪を一体化させ、歯車の中心を上側と下側のカバーに取り付けたピンに挿入させる構造である。また、握り部は、内歯車とレバーを一体化させ、単純な構造で部品点数も少なくコンパクトにしたところに特徴がある。【０００６】  内歯車と歯車を噛み合わせて、握り部のレバーを回動することで、挟持部の爪が容器の蓋に確実に固着し、更に、同方向にレバーを回動させ、蓋を開ける構造である。握り部のレバーにより、大きなトルクを容器の蓋に与える単純な構造で、力の弱い方でも容易に開けることができるようにしたものである。【０００７】  本考案は、太陽ギヤを使わない内歯車回転方式で、中央に容器の蓋が、十分入る大きさに空いているため、蓋開閉器の表側と裏側の両方が使用できる構造である。従がって、蓋開閉器を表側でレバーを開ける方向に回動させると容器の蓋は容易に開き、蓋開閉器を裏側でレバーを閉める方向に回動させると容器の蓋はきつく閉まる。簡単な歯車機構で開閉両方向に操作できる構造は、遊星歯車機構にはない特徴である。
【考案の効果】
【０００８】  簡単な歯車機構により、レバーを回動させることで、内歯車と歯車の噛み合わせにより、爪を容器の蓋に強固に固着させる構造で、固着させた状態のまま、更にレバーを回動することで、確実に容器の蓋を開閉できる道具として、容器の蓋開閉に役立つ。
【考案を実施するための最良の形態】
【０００９】  図１は、本考案による容器の蓋開閉器の例を示す。内歯車は全周歯が一般的であるが、内歯車の必要なところだけ用いた部分内歯車２を採用した。同図において、容器の蓋開閉器の構造を示し、握り部１０は、部分内歯車２とレバー１からなる一体構造にした。３つの挟持部１１−ａ、１１−ｂ，１１−ｃには、それぞれ部分歯車５と爪３からなる一体構造にした。更に、部分歯車５の回転中心にピン６を挿入し、上側と下側のカバー７にそれぞれピン６を固定した。【００１０】  容器８の蓋９に固着しやすい方法として、爪３に軟らかい樹脂コーティング４で形成した。容器８の蓋９の中心を回転中心とする握り部１０のレバー１を回動することで、部分内歯車２と部分歯車５の噛み合わせにより、３つの爪３付き部分歯車５が容器８の蓋９に近づき、固着し、開ける簡単な歯車機構に本考案の特徴である。【００１１】  図２は、容器８の蓋９と握り部１０及び挟持部１１−ｃのＡ−Ａ断面図で、挟持部１１−ｃの部分歯車５にピン６を挿入し、上側と下側のカバー７にピン６を固定した断面を示す。また、爪３の樹脂コーティング４が、容器８の蓋９に固着した状態を示す。
図３は、容器８の蓋９を開ける側の傾視図を示し、図４は、逆に容器８の蓋９を閉める側の傾視図を示す。図３は、蓋開閉器の表側で、矢印の方向にレバー１を回動すれば、容器８の蓋９は開き、図４は、蓋開閉器の裏側で、容器８の蓋９は矢印の方向に回動すれば閉まる。容器８の蓋９を開閉両方向にできる構造にしたことが本考案の特徴である。
【実施例】
【００１２】  開ける容器８の蓋９は、ゆずの蜂蜜入りビンの蓋外径φ７３．４ｍｍを使った。部分歯車５は、モジュール１、圧力角２０°、歯数１０枚の歯車の一部で、部分内歯車２は、モジュール１、圧力角２０°、歯数９６枚の歯車の一部を採用し、容器の蓋開閉器を作製した。【００１３】  レバー１を図３の矢印の開ける方向に回動することで、それぞれの部分歯車５と部分内歯車２の噛み合わせで、それぞれの爪３が容器８の蓋９に確実に固着し、更にレバー１を同方向に回動させ、容器８の蓋９が開くことを確認した。また、同様にレバー１を図４の矢印の閉める方向に回動することで、容器８の蓋９は確実に閉まることを確認した。
【産業上の利用可能性】
【００１４】  本考案は、容器の蓋を開閉する道具であり、家庭で容器の蓋を開けることが困難な女性、老人、子供達に使用して頂くことは勿論のことで、産業上では、ジャム、蜂蜜、筍などのビン詰容器の蓋開閉への自動化、省力化へ貢献できる利用可能性はある。
【図面の簡単な説明】
【００１５】
【図１】蓋開閉器における容器の蓋を開ける側の平面図。
【図２】蓋開閉器における容器の蓋を開ける側の断面図。
【図３】蓋開閉器における容器の蓋を開ける側の傾視図。
【図４】蓋開閉器における容器の蓋を閉める側の傾視図。
【符号の説明】
【００１６】  １  レバー
２  部分内歯車
３  爪
４  樹脂コーティング
５  部分歯車
６  ピン
７  カバー
８  容器
９  蓋
１０  握り部
１１−ａ  挟持部
１１−ｂ  挟持部
１１−ｃ  挟持部
【図１】
0003142714.tif 000003
【図２】
0003142714.tif 000004
【図３】
0003142714.tif 000005
【図４】
0003142714.tif 000006